(57)【要約】【課題】例えば、巻上機の他側面側を保守点検する際には、巻上機の一側面に対向して配置された作業台本体を所定の距離だけスライドし、所定の角度だけ回動して、作業台本体を巻上機の他側面に対向して配置することができるエレベータ用巻上機の作業台を得る。【解決手段】土台２に支持された巻上機３の一側面に対向して設けられた作業台本体４と、土台２と作業台本体４との間に設けられ、作業台本体４を土台２の外周に沿ってスライド可能にするスライド手段５と、スライド手段５と作業台本体４との間に設けられ、作業台本体４を水平面上に回動可能にする回動手段６とを備え、作業台本体４は、所定の距離だけスライドした後、所定の角度だけ回動することで、巻上機３の他側面に対向して配置される。【選択図】図１
2009203019.tif 000002
【特許請求の範囲】
【請求項１】
土台に支持された巻上機の一側面に対向して設けられた作業台本体と、
前記土台と前記作業台本体との間に設けられ、前記作業台本体を前記土台の外周に沿ってスライド可能にするスライド手段と、
前記スライド手段と前記作業台本体との間に設けられ、前記作業台本体を水平面上に回動可能にする回動手段とを備え、
前記作業台本体は、所定の距離だけスライドした後、所定の角度だけ回動することで、前記巻上機の他側面に対向して配置されることを特徴とするエレベータ用巻上機の作業台。
【請求項２】
前記スライド手段は、前記土台の外周に設けられたレールと、前記レールに転動可能なローラとを有していることを特徴とする請求項１に記載のエレベータ用巻上機の作業台。
【請求項３】
前記回動手段は、前記作業台本体を回動可能に支持した支持体を有していることを特徴とする請求項２に記載のエレベータ用巻上機の作業台。
【請求項４】
前記土台と前記レールとの間には、前記土台に前記レールを着脱可能にする着脱手段が設けられていることを特徴とする請求項２または請求項３に記載のエレベータ用巻上機の作業台。
【請求項５】
前記土台には、前記レールが前記土台に取り付けられたことを検出し、前記巻上機の運転を制御する制御盤に信号を送るスイッチが設けられていることを特徴とする請求項２ないし請求項４の何れか１項に記載のエレベータ用巻上機の作業台。
【請求項６】
前記土台と前記作業台本体との間には、前記作業台本体がスライドすることを規制する規制手段が設けられていることを特徴とする請求項１ないし請求項５の何れか１項に記載のエレベータ用巻上機の作業台。
【請求項７】
前記作業台本体には、前記作業台本体に対して昇降可能な昇降台が設けられていることを特徴とする請求項１ないし請求項６の何れか１項に記載のエレベータ用巻上機の作業台。
【発明の詳細な説明】
【技術分野】
【０００１】
この発明は、土台に支持された巻上機の一側面に対向して設けられた作業台本体を備えたエレベータ用巻上機の作業台に関する。
【背景技術】
【０００２】
従来、巻上機を支持した土台に固定され、前記巻上機の一側面に対向した作業台本体を備え、例えば、巻上機を保守点検する際には、作業者が作業台本体の上に乗って作業するエレベータ用巻上機の作業台が知られている（例えば、特許文献１参照）。
【０００３】
【特許文献１】特開２００７−４５５８１号公報
【発明の開示】
【発明が解決しようとする課題】
【０００４】
しかしながら、このものの場合、例えば、巻上機の他側面を保守点検する際には、作業台本体が巻上機の一側面に対向して固定されているので、作業者は、作業台本体の上から巻上機の他側面に向かって手を伸ばして作業しなければならず、作業性が悪いという問題点があった。
【０００５】
この発明は、上述のような問題点を解決することを課題とするものであって、その目的は、例えば、巻上機の他側面を保守点検する際には、巻上機の一側面に対向して配置された作業台本体を巻上機の他側面に対向して配置することができ、その結果、作業性を向上させることができるエレベータ用巻上機の作業台を提供するものである。
【課題を解決するための手段】
【０００６】
この発明に係るエレベータ用巻上機の作業台は、土台に支持された巻上機の一側面に対向して設けられた作業台本体と、前記土台と前記作業台本体との間に設けられ、前記作業台本体を前記土台の外周に沿ってスライド可能にするスライド手段と、前記スライド手段と前記作業台本体との間に設けられ、前記作業台本体を水平面上に回動可能にする回動手段とを備え、前記作業台本体は、所定の距離だけスライドした後、所定の角度だけ回動することで、前記巻上機の他側面に対向して配置される。
【発明の効果】
【０００７】
この発明に係るエレベータによれば、例えば、巻上機の他側面を保守点検する際には、巻上機の一側面に対向して配置された作業台本体を、所定の距離だけスライドさせ、所定の角度だけ回動させて、作業台本体を巻上機の他側面に対向して配置することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータ用巻上機の作業台１、土台２および巻上機３を示す側面図、図２は図１の作業台１、土台２および巻上機３を示す正面図、図３（ａ）は図１の作業台１を示す拡大図、図３（ｂ）は図３（ａ）のＡ部拡大図である。
この実施の形態に係るエレベータ用巻上機の作業台１は、土台２に支持された巻上機３の一側面に対向して設けられた作業台本体４と、土台２と作業台本体４との間に設けられた、作業台本体４を土台２の外周に沿ってスライド可能にするスライド手段５と、スライド手段５と作業台本体４との間に設けられた、作業台本体４を水平面上に回動可能にする回動手段６と、土台２とスライド手段５との間に設けられた、土台２にスライド手段５を着脱可能にする着脱手段７とを備えている。
を備えている。
【０００９】
土台２は、機械室の底面に立設された一対の機械台８と、それぞれの機械台８の上端部に取り付けられた防振ゴム９と、それぞれの防振ゴム９の上端部の間に渡って取り付けられたベッド１０とを有しており、ベッド１０の上端部に巻上機３が固定されている。
ベッド１０はＨ型鋼を用いて井桁に形成されている。
【００１０】
スライド手段５は、ベッド１０のウェブ部１０ａに固定された断面コ字形状のレール１１と、このレール１１に転動可能なローラ１２とを有している。
なお、スライド手段５は、レール１１およびローラ１２に限らず、例えば、レールと、このレールの上を摺動可能な摺動体であってもよい。
回動手段６は、回動可能な回動軸１３ａを介して作業台本体４の一端部を回動可能に支持した支持体１３を有している。
なお、回動手段６は、回動可能な回動軸１３ａを有した支持体１３に限らず、例えば、円柱棒が固定された支持体と、作業台本体４に取り付けられた、円柱棒に回転自在に支持される軸受とを有してもよい。
支持体１３は、ローラ１２の回転軸１２ａに固定されており、ローラ１２がレール１１に転動することで、連動して、支持体１３および作業台本体４は、レール１１に沿ってスライドする。
【００１１】
作業台本体４のレール１１側の端部は、ベッド１０の内側に臨んでおり、これにより、例えば、工具等が上方から落下した場合には、ベッド１０のフランジ部１０ｂと作業台本体４との間にその工具等が落下することを防止することができる。
作業台本体４が巻上機３の一側面に対向して配置された状態で作業台本体４の他端部に対向したレール１１の端部には、ブロック１５が固定されており、作業台本体４は、ボルト１４を介してブロック１５に固定されている。これにより、作業台本体４がスライドすることが規制される。
また、作業台本体４が巻上機３の他側面に対向して配置された状態で作業台本体４の他端部に対向したベッド１０の領域には、ブロック（図示せず）が固定されており、作業台本体４は、ボルト１４を介してこのブロックに固定される。これにより、作業台本体４が回動することが規制される。
土台２には、レール１１が土台２に取り付けられたことを検出し、巻上機３の運転を制御する制御盤（図示せず）に信号を送るスイッチ１６が取り付けられている。
これにより、レール１１が土台２に取り付けられると、スイッチ１６が検出して制御盤に信号を送り、制御盤は巻上機３の通電を遮断する。
【００１２】
図４は図１の土台２および巻上機３を示す側面図である。
着脱手段７は、ベッド１０に形成されたダルマ形状の係合孔１０ｃと、レール１１の背面に着脱可能に取り付けられた、係合孔１０ｃと係合可能な係合部１１ａとを有している。
なお、着脱手段７は、係合部１１ａが取り付けられたレール１１と、係合部１１ａが係合可能な係合孔１０ｃが形成されたベッド１０とに限らない。例えば、レール１１の表面に係合部が形成され、ベッド１０にレール１１の係合部と係合可能な被係合部であってもい。
係合部１１ａは、ベッド１０の反レール１１側から係合孔１０ｃに挿入されて、レール１１に取り付けられている。
係合部１１ａをレール１１の背面に着脱することで、レール１１のベッド１０への取り付けおよび取り外しを簡単に行うことができる。
【００１３】
図５（ａ）は図１の作業台本体４が巻上機３の一側面に対向して配置された状態を示す平面図、図５（ｂ）は図５（ａ）の作業台本体４が巻上機３の他側面に対向して配置された状態を示す平面図である。
次に、この実施の形態に係るエレベータ用巻上機の作業台１の作業台本体４を、巻上機３の一側面に対向した位置から他側面に対向した位置に移動させる手順について説明する。
まず、ボルト１４を外して、作業台本体４とブロック１５との固定を解除する。
次に、ローラ１２をレール１１に転動させて、巻上機３の一側面に対向して配置された作業台本体４をレール１１に沿ってスライドさせる。
さらに、支持体１３の回動軸１３ａを中心に作業台本体４を水平面上に回動させて、作業台本体４を巻上機３の他側面に対向させて配置する。
最後に、ボルト１４を用いてベッド１０のブロックに作業台本体４を固定する。
【００１４】
この実施の形態に係るエレベータ用巻上機の作業台１によれば、土台２と作業台本体４との間には、作業台本体４を土台２の外周に沿ってスライド可能にするスライド手段５が設けられ、このスライド手段５と作業台本体４との間には、作業台本体４を水平面上に回動可能にする回動手段６が設けられているので、例えば、巻上機３の他側面を保守点検する際には、巻上機３の一側面に対向して配置された作業台本体４を、所定の距離だけスライドさせ、所定の角度だけ回動させて、作業台本体４を巻上機３の他側面に対向して配置することができる。
【００１５】
また、スライド手段５は、土台２の外周に固定されたレール１１と、このレール１１に転動可能なローラ１２とを有しているので、簡単に、作業台本体４を土台２の外周に沿ってスライドさせることができる。
【００１６】
また、回動手段６は、回動軸１３ａを介して作業台本体４を回動可能に支持した支持体１３を有しているので、簡単に、作業台本体４を回動させることができる。
【００１７】
また、土台２とレール１１との間には、土台２にレール１１を着脱可能にする着脱手段７が設けられているので、例えば、巻上機３の保守点検を行うときに、作業台１を土台２に取り付けることができる。
【００１８】
また、土台２には、レール１１が土台２に取り付けられたことを検出し、巻上機３の運転を制御する制御盤に信号を送るスイッチ１６が取り付けられているので、土台２にレール１１を介して作業台本体４を取り付けたときに、スイッチ１６から信号を受けた制御盤が巻上機３の通電を遮断して、巻上機３の保守点検中に巻上機３が運転することを防止することができる。
【００１９】
実施の形態２．
図６はこの実施の形態に係るエレベータ用巻上機の作業台１、土台２および巻上機３を示す平面図、図７は図６の作業台１を示す側面図である。
この実施の形態に係るエレベータ用巻上機の作業台１の作業台本体４には、先端部がレール１１に当接可能なストッパ１７が取り付けられている。
ストッパ１７がレール１１に当接することで、作業台本体４がスライドするのが規制される。
これにより、作業台本体４はレール１１に沿って、任意の位置に固定することができる。
なお、ストッパ１７はレール１１に限らず、例えば、土台２に当接してもよく、また、ストッパ１７はレール１１または土台２に取り付けられ、このストッパ１７が作業台本体４、支持体１３等に当接して作業台本体４がスライドするのを規制してもよい。
また、作業台本体４のレール１１側の端部には、スライド方向に沿った長孔４ａが複数個形成されており、この長孔４ａには、ボルト１４が挿入可能となっている。
作業台本体４は、長孔４ａにボルト１４を挿入することで、このボルト１４を介してブロック１５に固定される。
これにより、作業台本体４はスライドすることがさらに規制される。
その他の構成は実施の形態１と同様である。
【００２０】
この実施の形態に係るエレベータ用巻上機の作業台１によれば、作業台本体４には、レール１１に当接することで作業台本体４がスライドするのを規制するストッパ１７が取り付けられているので、作業台本体４をレール１１に沿った任意の位置に固定することができる。
また、作業台本体４をスライドさせて、レール１１に沿った任意の位置に固定することができるので、作業台本体４の寸法を小さくしても、巻上機３に対向した任意の位置に配置することができる。
【００２１】
実施の形態３．
図８はこの実施の形態に係るエレベータ用巻上機の作業台１、土台２および巻上機３を示す側面図である。
この実施の形態に係るエレベータ用巻上機の作業台１は、作業台本体４に、作業台本体４に対して昇降可能なシザー式の昇降台１８が取り付けられている。
なお、昇降台１８はシザー式に限らず、例えば、油圧式などの昇降台であってもよい。
その他の構成は実施の形態１と同様である。
なお、実施の形態２に係るエレベータ用巻上機の作業台１の作業台本体４に昇降台１８を取り付けてもよい。
【００２２】
この実施の形態に係るエレベータ用巻上機の作業台１によれば、作業台本体４には、作業台本体４に対して昇降可能な昇降台１８が取り付けられているので、例えば、巻上機３の上部にある重量物であるブレーキを取り外したときに、そのブレーキを昇降台１８に仮置きすることで、巻上機３の保守点検の作業性を向上させることができる。
【図面の簡単な説明】
【００２３】
【図１】この発明の実施の形態１に係るエレベータ用巻上機の作業台、土台および巻上機を示す側面図である。
【図２】図１の作業台、土台および巻上機を示す正面図である。
【図３】図３（ａ）は図１の作業台を示す拡大図、図３（ｂ）は図３（ａ）のＡ部拡大図である。
【図４】図１の土台および巻上機を示す側面図である。
【図５】図５（ａ）は図１の作業台本体が巻上機の一側面に対向して配置された状態を示す平面図、図５（ｂ）は図５（ａ）の作業台本体が巻上機の他側面に対向して配置された状態を示す平面図である。
【図６】この発明の実施の形態２に係るエレベータ用巻上機の作業台、土台および巻上機を示す平面図である。
【図７】図６の作業台を示す側面図である。
【図８】この発明の実施の形態３に係るエレベータ用巻上機の作業台、土台および巻上機を示す側面図である。
【符号の説明】
【００２４】
１  作業台、２  土台、３  巻上機、４  作業台本体、４ａ  長孔、５  スライド手段、６  回動手段、７  着脱手段、８  機械台、９  防振ゴム、１０  ベッド、１０ａ  ウェブ部、１０ｂ  フランジ部、１０ｃ  係合孔、１１  レール、１１ａ  係合部、１２  ローラ、１２ａ  回転軸、１３  支持体、１３ａ  回動軸、１４  ボルト、１５  ブロック、１６  スイッチ、１７  ストッパ、１８  昇降台。
【図１】
2009203019.tif 000003
【図２】
2009203019.tif 000004
【図３】
2009203019.tif 000005
【図４】
2009203019.tif 000006
【図５】
2009203019.tif 000007
【図６】
2009203019.tif 000008
【図７】
2009203019.tif 000009
【図８】
2009203019.tif 000010